(57)【特許請求の範囲】
【請求項１】
開閉方向に沿って連結された複数のスラットを備えたシャッターカーテンであって、前記スラットは、平坦部と、当該平坦部における開閉方向の一端部より前記平坦部の裏面側に延長する第１カール部と、前記平坦部における開閉方向の他端部より前記平坦部の裏面側に延長し、前記平坦部の裏面との間に挿入部を形成する第２カール部とを有するスラット本体と、前記スラット本体の裏面側に配設され、前記平坦部の裏面との間に中空部を形成する裏板と、を備え、前記裏板は、前記第１カール部側において前記平坦部と接合される接合片部と、前記接合片部の上端部より後方に向けて延長する上片部と、前記上片部の後端部より下方に前記平坦部に沿って延長する背面部と、前記背面部と連続して前記第２カール部を迂回して延長し、先端が前記挿入部内に挿入される差込片部と、を有し、前記第１カール部は、前記平坦部における開閉方向の一端部より、上斜め後方に向けて前記上片部から次第に離れるように延長した後、折返し部を介して前記上片部に近づく方向に延長するように形成された先端部を有した形状に形成され、前記第２カール部は、前記平坦部における開閉方向の他端部より、折返し部を介して設けられた湾曲部を有した形状に形成され、前記湾曲部は、前記折返し部より上方に向けて延長した第１延長部と、前記第１延長部の上端より後方に延長した第２延長部と、前記第２延長部の後端より下方に延長した第３延長部と、前記第３延長部の下端より前記折返し部に近づく方向に延長した第４延長部とを有し、前記挿入部は、前記第１延長部と前記平坦部における開閉方向の他端側との間で形成され、前記開閉方向に沿って並ぶように配置された一方のスラットと他方のスラットとの連結構造は、前記一方のスラットの第１カール部の前記折返し部及び前記先端部が、前記他方のスラットの第２カール部の前記第４延長部の延長端と前記折返し部との間の間隙である係合口を介して前記湾曲部内に挿入されて前記先端部が当該湾曲部内に係止された構造であることを特徴とするシャッターカーテン。
【請求項２】
前記係合口の間隙が、前記第１カール部の折返し部の厚さよりも狭く形成されたことを特徴とする請求項１に記載のシャッターカーテン。
【請求項３】
開閉方向に沿って連結された複数のスラットを備えたシャッターカーテンであって、
前記スラットは、
平坦部と、当該平坦部における開閉方向の一端部より前記平坦部の裏面側に延長する第１カール部と、前記平坦部における開閉方向の他端部より前記平坦部の裏面側に延長し、前記平坦部の裏面との間に挿入部を形成する第２カール部とを有するスラット本体と、
前記スラット本体の裏面側に配設され、前記平坦部の裏面との間に中空部を形成する裏板と、
を備え、
前記裏板は、前記平坦部に沿って延長する背面部と、
前記背面部と連続し、前記第１カール部側の前記平坦部に向けて延長する上片部と、
前記背面部と連続し、先端が前記挿入部内に挿入される差込片部と、
を有し、
前記スラット本体と前記裏板とが、前記中空部内において前記平坦部及び前記背面部間に延長する固定具により固定され、前記上片部の先端が前記平坦部と非接触の状態とされたことを特徴とするシャッターカーテン。
【請求項４】
前記差込片部が前記第２カール部を迂回して延長することを特徴とする請求項３記載のシャッターカーテン。
【発明の詳細な説明】
【技術分野】
【０００１】
本発明は、シャッター装置に採用されるシャッターカーテンに関し、特に裏面側に中空部を有する複数のスラットにより構成されたシャッターカーテンに関する。
【背景技術】
【０００２】
従来、住宅やビル等の出入り口に設置されるシャッター装置として、遮音機能を有するシャッターカーテンを備えたものが知られている。特許文献１に示すように、この種のシャッターカーテンは、裏面側に中空部を形成する裏板を有する複数のスラットが開閉方向に連結されることにより構成される。各スラットの中空部内には、例えばウレタン等の吸音材が充填され、シャッターカーテンにより仕切られる空間の内外への音漏れが防止される。
【先行技術文献】
【特許文献】
【０００３】
【特許文献１】特許第３７５５１２５号公報
【発明の概要】
【発明が解決しようとする課題】
【０００４】
しかしながら、上記特許文献１に係るスラットにおいては、スラットの裏面側に配設される裏板の下端部がスラットの下端部側に形成されたカール部と接するように設けられているため、シャッターカーテンの巻取りや繰り出し時におけるカール部の撓みによって、カール部と裏板とが干渉し、異音の発生やカール部同士の回転動作不良を生じさせる要因となっている。
【０００５】
本発明は上記問題を解消すべく、スラットのカール部と当該スラットに配設された部材との干渉を避けることができるシャッターカーテンを提供する。
【課題を解決するための手段】
【０００６】  上記課題を解決するためのシャッターカーテンの構成として、開閉方向に沿って連結された複数のスラットを備えたシャッターカーテンであって、スラットは、平坦部と、当該平坦部における開閉方向の一端部より平坦部の裏面側に延長する第１カール部と、平坦部における開閉方向の他端部より平坦部の裏面側に延長し、平坦部の裏面との間に挿入部を形成する第２カール部とを有するスラット本体と、スラット本体の裏面側に配設され、平坦部の裏面との間に中空部を形成する裏板とを備え、裏板は、第１カール部側において平坦部と接合される接合片部と、接合片部の上端部より後方に向けて延長する上片部と、上片部の後端部より下方に平坦部に沿って延長する背面部と、背面部と連続して第２カール部を迂回して延長し、先端が挿入部内に挿入される差込片部とを有し、第１カール部は、平坦部における開閉方向の一端部より、上斜め後方に向けて上片部から次第に離れるように延長した後、折返し部を介して上片部に近づく方向に延長するように形成された先端部を有した形状に形成され、第２カール部は、平坦部における開閉方向の他端部より、折返し部を介して設けられた湾曲部を有した形状に形成され、湾曲部は、折返し部より上方に向けて延長した第１延長部と、第１延長部の上端より後方に延長した第２延長部と、第２延長部の後端より下方に延長した第３延長部と、第３延長部の下端より折返し部に近づく方向に延長した第４延長部とを有し、挿入部は、第１延長部と前記平坦部における開閉方向の他端側との間で形成され、開閉方向に沿って並ぶように配置された一方のスラットと他方のスラットとの連結構造は、一方のスラットの第１カール部の折返し部及び先端部が、他方のスラットの第２カール部の第４延長部の延長端と折返し部との間の間隙である係合口を介して湾曲部内に挿入されて当該先端部が当該湾曲部内に係止された構造であることを特徴とする。  本構成によれば、裏板の接合片部が第１カール部側において平坦部と接合され、背面部と連続する差込片部が、第２カール部を迂回して延長し、その先端が挿入部内に挿入されるため、第１，第２カール部の撓みに対して裏板の干渉を避けることができ、異音の発生やカール部同士の回転動作不良を防止できる。 また、係合口の間隙が、第１カール部の折返し部の厚さよりも狭く形成されたことを特徴とする。  また、上記スラットの構成を前提として、裏板が平坦部に沿って延長する背面部と、背面部と連続し、第１カール部側の平坦部に向けて延長する上片部と、背面部と連続し、先端が挿入部内に挿入される差込片部とを有し、スラット本体と裏板とが、中空部内において平坦部及び背面部間に延長する固定具により固定され、上片部の先端が平坦部と非接触の状態とされた構成とした。  本構成によれば、スラット本体と裏板とが、中空部内において平坦部及び背面部間に延長する固定具により固定されているため、固定具の撓みによってスラット本体と裏板との相対的な変位を吸収でき、第１，第２カール部の撓みに対して裏板の干渉を避けることができ、異音の発生やカール部同士の回転動作不良を防止できる。また、当該構成を前提として、差込片部が第２カール部を迂回して延長する構成としてもよい。  上���発明の概要は、本発明の必要な特徴の全てを列挙したものではなく、これらの特徴群のサブコンビネーションもまた、発明となり得る。
【図面の簡単な説明】
【０００７】
【図１】開閉装置の概略斜視図である。
【図２】スラットの断面図である。
【図３】スラットの断面図である。
【図４】スラットの断面図である（他の実施形態）。
【図５】スラットの断面図である（他の実施形態）。
【発明を実施するための形態】
【０００８】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００９】
図１は、本発明に係るシャッターカーテン１が採用された開閉装置１０の概略斜視図である。同図において開閉装置１０は、概略、構造物躯体１２に形成された開口部１４を閉鎖又は開放するシャッターカーテン１と、シャッターケース７内に収容され、シャッターカーテン１を巻取り又は繰り出す巻取り装置４とを備える。巻取り装置４は、開口部１４の上縁部において、開口部１４の幅方向沿って延長し、正逆方向に回転可能に設けられた巻取り軸４ａと、当該巻取り軸４ａと同軸上に配設され、巻取り軸４ａと同期して正逆方向に回転可能に設けられた回転ドラム４ｂとを備える。回転ドラム４ｂには図外の連結部材を介してシャッターカーテン１の上端部側が連結されており、巻取り軸４ａ及び回転ドラム４ｂが巻取り方向（開放方向）に回転した場合、シャッターカーテン１は、回転ドラム４ｂ上において積層されるように巻き取られる。
【００１０】
開口部１４の両側縁部には、シャッターカーテン１の動作を規制、案内するガイドレール６；６が立設される。ガイドレール６；６は、例えば断面略コの字状の金属部材であって、その開口部が互いに対向するように立設される。シャッターカーテン１の幅方向両端部の一部がガイドレール６；６の開口内に飲み込まれた状態とされることにより、シャッターカーテン１の閉鎖方向及び開放方向への移動が規制、案内される。
【００１１】
次に、図２を参照して、シャッターカーテン１の構造について説明する。図２は、シャッターカーテン１の縦方向断面図（開閉方向断面図）である。以下の説明においては、図１の矢印Ｙで示す開閉方向と直交する矢印Ｚで示す奥行方向の一方側を「前」とし、他方側を「後」として説明する。同図に示すように、シャッターカーテン１は、開閉方向に沿って連結された複数のスラット２０（図示の例では２０Ａ〜２０Ｃ）により構成される。スラット２０は、スラット本体２１と裏板４０とから構成される。
【００１２】
スラット本体２１は、例えばアルミニウム等の金属板を曲げ加工することにより形成された長尺な板体である。図３に示すように、スラット本体２１は、開閉方向及び幅方向に沿って平坦な面として形成された平坦部２２と、当該平坦部２２の上端部より互いに逆方向に湾曲する複数の湾曲部２４ａ〜２４ｃ及び折返し部２４ｄを有して後側（裏面側）に延出する第１カール部２４と、平坦部２２の下端部より折り返し部２８ａ及び湾曲部２８ｂを有して後側に延出する第２カール部２８とを有する。
【００１３】
図２に示すように、例えばスラット２０Ａの第１カール部２４は、上方に隣接するスラット２０Ｂの第２カール部２８と係合する。第１カール部２４の折返し部２４ｄは、湾曲部２４ｃから延出する板体が略１８０度反転して形成される部位であって、当該折返し部２４ｄによって、第１カール部２４の先端部２５はスラット本体２１の前側に向って「返し」を有するように傾斜した状態とされる。そして、当該前側に向かって傾斜した先端部２５が、スラット２０Ｂの第２カール部２８内において脱落困難に係止される。
【００１４】
第２カール部２８の折返し部２８ａは、平坦部２２の下端部から下方に延びる板体が上方に向けて略１８０度反転して形成された部位であり、当該折返し部２８ａによって、平坦部２２の下部と第２カール部２８との間に細溝状の挿入部３０が形成される。第２カール部２８の湾曲部２８ｂは、上記折り返し部２８ａより後方（左回り）に向かって円を描くように延長する部位であって、その先端部２９は第１カール部２４の折返し部２４ｄの厚さよりも僅かに狭い係合口３２を有して折返し部２８ａと接近する。そして、例えばスラット２０Ａの第１カール部２４をスラット２０Ｂの第２カール部２８に係合する際には、第１カール部２４の折返し部２４ｄを係合口３２に挿入して第２カール部２８の先端部２９を僅かに押し広げることにより、第１カール部２４を第２カール部２８内において脱落困難に係止する。このように、開閉方向に隣接する複数のスラット２０同士は、第１カール部２４及び第２カール部２８を介して互いに連結されている。そして、シャッターカーテン１の巻取り時には、上方に位置する第２カール部２８内において下方に位置する第１カール部２４が回転することにより、上下に隣接するスラット２０同士の角度が変化するため、シャッターカーテン１をロール状に積層した状態で収容することが可能となる。
【００１５】
次に、上記各スラット本体２１の裏面側に設けられる裏板４０の構成について、複数の実施形態を用いて説明する。なお、以下の複数の実施形態に係る説明については、同一構成については同一の符号を用い、その説明を省略する場合がある。図３に示すように、第１の実施形態に係る裏板４０は、アルミニウム等の金属板を折り曲げ加工することにより形成される。裏板４０は、図１に示す開口部１４の幅方向に沿って延長するスラット本体２１の幅方向寸法と略等しく設定され、スラット本体２１に沿って配設される長尺な板体である。
【００１６】
図３に示すように、裏板４０は、スラット本体２１の平坦部２２の裏面２２ａの上部と接した状態で上下に延長する接合片部４２と、接合片部４２の上端部より、後方に向かって略水平に延長する上片部４４と、当該上片部４４の後端部より略直角に折り曲げられ、下方に延長する背面部４６と、背面部４６の下端部より前述の挿入部３０の方向に向かって傾斜して直線的に延長する傾斜片部４８とを有する。平坦部２２の裏面２２ａ側に上記裏板４０が配設されることにより、スラット本体２１の裏側には、平坦部２２の裏面２２ａと裏板４０とで囲まれた中空部Ｒが形成される。当該中空部Ｒには、例えばウレタン等の吸音材や、グラスウール等の耐火材を収容，充填可能であり、これらの部材を配置することにより、シャッターカーテン１に防音性能や耐火性能を付加することが可能となる。
【００１７】
接合片部４２と裏面２２ａとは、例えば接着剤や溶接等の接合手段により強固に接合される。また、傾斜片部４８の先端５０は、平坦部２２の裏面２２ａと第２カール部２８との間に形成された挿入部３０内に差し込まれた状態で係止されている。よって、裏板４０のスラット本体２１への取り付けは、まず傾斜片部４８の先端５０を挿入部３０内に差し込み、続いて接合片部４２を裏面２２ａに押し当て、接着や溶接等により固定することにより完了する。
【００１８】
そして、上記実施形態に係る裏板４０の構造によれば、接合片部４２が第１カール部２４よりも下方の領域である平坦部２２の裏面２２ａと接合され、傾斜片部４８が、下方に位置する第２カール部２８を避けるように前方に傾斜しつつ延長し、その先端５０が挿入部３０内において係止されることから、シャッターカーテン１の巻取り又は繰り出し時における第１カール部２４及び第２カール部２８の撓み変形に対して、それぞれ上片部４４及び傾斜片部４８が干渉することがなく、上記第２カール部２８内における第１カール部２４の回転動作を円滑に行わせることが可能となり、異音の発生をも防止することが可能となる。
【００１９】
図４は、上記裏板４０の変形例を示す図である。同図に示すように、本実施形態に係る裏板４０は、傾斜片部４８が背面部４６の下端部から、上方に向けて凹となるように湾曲しつつ挿入部３０の方向に向かって延長している点で上記実施形態と異なる。そして、このような形態であっても、傾斜片部４８が下方に位置する第２カール部２８を避けるように湾曲しつつ延長し、その先端５０が挿入部３０内において係止されることから、第２カール部２８との干渉を避けることができる。
【００２０】
図５は、他の実施形態に係る裏板４０を示す図である。同図に示すように本実施形態に係る裏板４０は、スラット本体２１の裏面２２ａに対して固定金具６０を介して取り付けられている点で上記各実施形態と異なる。固定金具６０は、平坦部２２の裏面２２ａの略中央部と対応するように上下方向に延長する第１接合片部６２と、当該第１接合片部６２の上端部から、後方に向かって略水平に延長する中間片部６４と、当該中間片部６４の後端部から上方に延長し、裏板４０の背面部４６と接合される第２接合片部６６とを有する。第１接合片部６２と裏面２２ａ、第２接合片部６６と背面部４６とは、それぞれ例えば接着剤や溶接等の接合手段により強固に接合される。
【００２１】
同図に示すように、本実施形態に係る裏板４０には、裏面２２ａと直接接する前述の接合片部４２に相当する部位は存在せず、上片部４４の先端４４ａが裏面２２ａに対して非接触となるように僅かな隙間Ｇが形成されている。また、本実施形態に係る裏板４０には、背面部４６の下端部から略直角に折れ曲がり、前方に向かって延長する底面部４７と、当該底面部４７の前端部から略直角に折れ曲がり、下方に延長して挿入部３０内において終端する差し込み片部４９とを有し、特に底面部４７が第２カール部２８上で接している点で異なる。そして、このように底面部４７が第２カール部２８に接している場合であっても、裏板４０全体が固定金具６０を介してスラット本体２１に取り付けられているため、第２カール部２８の撓み変形に対して裏板４０が干渉することはない。
【００２２】  即ち、本実施形態に係る裏板４０は、スラット本体２１に対して実質的には非接触の状態で取り付けられており、例えば第２カール部２８の矢印Ｑで示す方向への撓み変形によって、これに接する底面部４７が押し込まれた場合、当該押し込み力は、固定金具６０の中間片部６４の撓みによって吸収されつつ、裏板４０全体が矢印Ｑの方向に僅かに移動する。また、上片部４４の先端４４ａと裏面２２ａとの間には、隙間Ｇが形成されているため、上記移動時における接触抵抗を避けることができ、裏板４０全体を第２カール部２８の撓み変形に追従して円滑に移動させることが可能となる。そして、このような構成であっても、第２カール部２８の撓み変形に対して、裏板４０の干渉を避けることができ、第２カール部２８内における第１カール部２４の回転動作を円滑に行わせることが可能となり、異音の発生をも防止することが可能となる。
【符号の説明】
【００２３】
１  シャッターカーテン，１０  開閉装置，２０（２０Ａ〜２０Ｃ）  スラット，
２１  スラット本体，２２  平坦部，２４  第１カール部，２８  第２カール部，
３０  挿入部，４０  裏板，６０  固定金具
【図１】
0006632836.tif 000002
【図２】
0006632836.tif 000003
【図３】
0006632836.tif 000004
【図４】
0006632836.tif 000005
【図５】
0006632836.tif 000006